(57)【特許請求の範囲】
【請求項１】
再生ラウドネス調整方法であって、
端末は環境音声信号及び内部音声信号を取得し、前記環境音声信号及び内部音声信号によって再生ラウドネスの差分値を取得するステップと、
前記端末は前記再生ラウドネスの差分値と少なくとも一つの調整閾値の大きさを比較し、比較結果によって再生ラウドネスを調整するステップとを含み、
再生ラウドネスを調整した後に、調整時の再生ラウドネスの差分値及び修正閾値によって前記調整閾値を更新するステップをさらに含む、再生ラウドネス調整方法。
【請求項２】
前記環境音声信号及び内部音声信号によって再生ラウドネスの差分値を取得するステップは、前記環境音声信号における雑音信号をフィルタ処理して、再生エコー信号を取得し、前記再生エコー信号のラウドネス値及び前記内部音声信号のラウドネス値によって前記再生ラウドネスの差分値を取得することを含む
請求項１に記載の再生ラウドネス調整方法。
【請求項３】
前記環境音声信号における雑音信号をフィルタ処理する前に、前記環境音声信号における雑音信号を確定するステップをさらに含み、
前記環境音声信号における雑音信号をフィルタ処理することは、前記環境音声信号の中で確定した雑音信号をフィルタ処理することを含む
請求項２に記載の再生ラウドネス調整方法。
【請求項４】
前記雑音信号を確定するステップは、音声信号の相関性によって、前記環境音声信号の中で前記内部音声信号と相関する信号部分をフィルタ処理して、前記雑音信号を得て出力することを含み、前記音声信号の相関性は音声信号の波形の相関性を含む
請求項３に記載の再生ラウドネス調整方法。
【請求項５】
前記環境音声信号及び内部音声信号によって再生ラウドネスの差分値を取得するステップは、前記環境音声信号の各音声信号のラウドネス値を取得して、ラウドネス値が最大となる音声信号を主音声信号とし、前記主音声信号のラウドネス値及び前記内部音声信号のラウドネス値によって再生ラウドネスの差分値を取得することを含む
請求項１に記載の再生ラウドネス調整方法。
【請求項６】
一つの調整閾値だけある場合に、比較結果によって再生ラウドネスを調整するステップは、再生ラウドネスの差分値が前記調整閾値より大きい時、再生ラウドネスを向上させ、再生ラウドネスの差分値が前記調整閾値より小さい時、再生ラウドネスを低下させることを含み、
二つ以上の調整閾値がある場合に、比較結果によって再生ラウドネスを調整するステップは、再生ラウドネスの差分値が前記調整閾値の最大値より大きい時、再生ラウドネスを向上させ、再生ラウドネスの差分値が前記調整閾値の最小値より小さい時、再生ラウドネスを低下させ、再生ラウドネスの差分値が前記調整閾値の最大値と最小値の間にある時、再生ラウドネスを調整しないことを含む
請求項１〜５のいずれか１項に記載の再生ラウドネス調整方法。
【請求項７】
一つの調整閾値だけある場合に、調整時の再生ラウドネスの差分値及び修正閾値によって前記調整閾値を更新するステップは、前記調整時の再生ラウドネスの差分値と前記修正閾値の和または差を新調整閾値とすることを含み、
二つ以上の調整閾値がある場合に、調整時の再生ラウドネスの差分値及び修正閾値によって前記調整閾値を更新するステップは、前記調整時の再生ラウドネスの差分値と前記修正閾値の和を新調整閾値の最大値とし、前記調整時の再生ラウドネスの差分値と前記修正閾値の差を新調整閾値の最小値とすることを含む
請求項１に記載の再生ラウドネス調整方法。
【請求項８】
再生ラウドネス調整装置であって、
環境音声信号及び内部音声信号を取得し、前記環境音声信号及び内部音声信号によって再生ラウドネスの差分値を取得するように構成される処理モジュールと、
前記再生ラウドネスの差分値と少なくとも一つの調整閾値の大きさを比較し、比較結果によって再生ラウドネスを調整するように構成される調整モジュールと、
前記調整モジュールが再生ラウドネスを調整した後に、調整時の再生ラウドネスの差分値及び修正閾値によって前記調整閾値を更新するように構成される更新モジュールとを含む、再生ラウドネス調整装置。
【請求項９】
前記処理モジュールは、
前記環境音声信号における雑音信号をフィルタ処理して、再生エコー信号を取得するように構成されるフィルタ処理サブモジュールと、
前記再生エコー信号のラウドネス値及び前記内部音声信号のラウドネス値によって前記再生ラウドネスの差分値を取得するように構成される計算サブモジュールとを含む
請求項８に記載の再生ラウドネス調整装置。
【請求項１０】
前記処理モジュールは、前記環境音声信号における雑音信号をフィルタ処理する前に、前記環境音声信号における雑音信号を確定するように構成される確定サブモジュールをさらに含み、
前記フィルタ処理サブモジュールは、前記確定サブモジュールにより確定された前記環境音声信号における雑音信号をフィルタ処理するように構成される
請求項９に記載の再生ラウドネス調整装置。
【請求項１１】
前記確定サブモジュールは、音声信号の相関性によって、前記環境音声信号の中で前記内部音声信号と相関する信号部分をフィルタ処理して、前記雑音信号を得て出力するように構成され、前記音声信号の相関性は音声信号の波形の相関性を含む
請求項１０に記載の再生ラウドネス調整装置。
【請求項１２】
一つの調整閾値だけある場合に、前記調整モジュールは、再生ラウドネスの差分値が前記調整閾値より大きい時、再生ラウドネスを向上させ、再生ラウドネスの差分値が前記調整閾値より小さい時、再生ラウドネスを低下させるように構成され、
二つ以上の調整閾値がある場合に、前記調整モジュールは、再生ラウドネスの差分値が前記調整閾値の最大値より大きい時、再生ラウドネスを向上させ、再生ラウドネスの差分値が前記調整閾値の最小値より小さい時、再生ラウドネスを低下させ、再生ラウドネスの差分値が前記調整閾値の最大値と最小値の間にある時、再生ラウドネスを調整しないように構成される
請求項８〜１１のいずれか１項に記載の再生ラウドネス調整装置。
【請求項１３】
コンピュータ読み取り可能な記憶媒体であって、
請求項１〜７のいずれか１項に記載の再生ラウドネス調整方法を実行するための１グループの命令を含む、コンピュータ読み取り可能な記憶媒体。
【発明の詳細な説明】
【技術分野】
【０００１】
本発明は端末アプリケーション分野に関し、特に端末が再生を行う時の再生ラウドネスを調整するための再生ラウドネス調整方法及び装置に関する。
【背景技術】
【０００２】
ユーザが端末装置のスピーカー等の外部再生モードで音楽を聞くときに、外部環境が異なることにより、例えば路上で、車内で、エレベータ内或いは家で、端末の同じ再生ラウドネスについて、再生音量のラウドネスに対してユーザの感じは明確な変化がある。同じ音量の大きさに対して、広い空間或いは雑音の多い環境にある場合、ユーザは比較的小さいトーンのラウドネスを感じ、狭い空間或いは静かな環境にある場合、ユーザは比較的大きいトーンのラウドネスを感じる。したがって、良好な再生の効果を取得するために、ユーザは手動で再生ラウドネスの大きさを調整することが必要である。
【０００３】
このため、どのようにユーザの手動操作なしに端末再生時のラウドネスの大きさを調整するかという方法を提案することは、本分野の当業者が解決すべき課題である。
【発明の概要】
【発明が解決しようとする課題】
【０００４】
これを鑑みて、本発明の実施形態は再生ラウドネス調整方法及び装置を提供する。
【課題を解決するための手段】
【０００５】
本発明の実施形態による再生ラウドネス調整方法は、端末は環境音声信号及び内部音声信号を取得し、環境音声信号及び内部音声信号によって再生ラウドネスの差分値（ｄｉｆｆｅｒｅｎｃｅ  ｖａｌｕｅ）を取得するステップと、端末は環境音声信号及び内部音声信号によって再生ラウドネスの差分値を取得するステップとを含む。
【０００６】
好ましくは、上記実施形態における環境音声信号と内部音声信号によって再生ラウドネスの差分値を取得するステップは、環境音声信号における雑音信号をフィルタ処理して、再生エコー信号を取得し、再生エコー信号のラウドネス値及び内部音声信号のラウドネス値によって再生ラウドネスの差分値を取得することを含む。
【０００７】
好ましくは、上記実施形態における環境音声信号における雑音信号をフィルタ処理する前には、さらに環境音声信号における雑音信号を確定するステップを含み、環境音声信号における雑音信号をフィルタ処理することは、具体的に環境音声信号の中で確定した雑音信号をフィルタ処理することである。
【０００８】
好ましくは、上記実施形態における雑音信号を確定するステップは、音声信号の相関性によって、環境音声信号の中で内部音声信号と相関する信号部分をフィルタ処理して、雑音信号を得て出力することを含み、音声信号の相関性は音声信号の波形の相関性を含む。
【０００９】
好ましくは、上記実施形態における環境音声信号と内部音声信号によって再生ラウドネスの差分値を取得するステップは、環境音声信号の各音声信号のラウドネス値を取得して、ラウドネス値が最大となる音声信号を主音声信号とし、主音声信号のラウドネス値及び再生の内部信号のラウドネス値によって再生ラウドネスの差分値を取得することを含む。
【００１０】
好ましくは、上記実施形態において、一つの調整閾値だけある場合に、比較結果によって再生ラウドネスを調整するステップは、比較結果が再生ラウドネスの差分値が調整閾値より大きい時、再生ラウドネスを向上させ、比較結果が再生ラウドネスの差分値が調整閾値より小さい時、再生ラウドネスを低下させることを含み、二つ以上の調整閾値がある場合に、比較結果によって再生ラウドネスを調整するステップは、比較結果が再生ラウドネスの差分値が調整閾値の最大値より大きい時、再生ラウドネスを向上させ、比較結果が再生ラウドネスの差分値が調整閾値の最小値より小さい時、再生ラウドネスを低下させ、比較結果が再生ラウドネスの差分値が調整閾値の最大値と最小値の間にある時、再生ラウドネスを調整しないことを含む。
【００１１】
好ましくは、上記実施形態においては、再生ラウドネスを調整した後に、さらに調整時の再生ラウドネスの差分値及び修正閾値によって調整閾値を更新するステップを含む。具体的には、一つの調整閾値だけある場合に、調整時の再生ラウドネスの差分値及び修正閾値によって調整閾値を更新するステップは、調整時の再生ラウドネスの差分値と修正閾値の和または差を新調整閾値とすることを含み、二つ以上の調整閾値がある場合に、調整時の再生ラウドネスの差分値及び修正閾値によって調整閾値を更新するステップは、調整時の再生ラウドネスの差分値と修正閾値の和を新調整閾値の最大値とし、調整時の再生ラウドネスの差分値と修正閾値の差を新調整閾値の最小値とすることを含む。
【００１２】
本発明の実施形態による再生ラウドネス調整装置は、、環境音声信号及び内部音声信号を取得し、前記環境音声信号及び内部音声信号によって再生ラウドネスの差分値を取得するように構成される処理モジュールと、再生ラウドネスの差分値と少なくとも一つの調整閾値の大きさを比較し、比較結果によって再生ラウドネスを調整するように構成される調整モジュールとを含む。
【００１３】
好ましくは、処理モジュールは、前記環境音声信号における雑音信号をフィルタ処理して、再生エコー信号を取得するように構成されるフィルタ処理サブモジュールと、前記再生エコー信号のラウドネス値及び前記内部音声信号のラウドネス値によって前記再生ラウドネスの差分値を取得するように構成される計算サブモジュールとを含む。
【００１４】
好ましくは、前記処理モジュールは、前記環境音声信号における雑音信号をフィルタ処理する前に、前記環境音声信号における雑音信号を確定するように構成される確定サブモジュールをさらに含み、
前記フィルタ処理サブモジュールは、前記確定サブモジュールにより確定された前記環境音声信号における雑音信号をフィルタ処理するように構成される。
【００１５】
好ましくは、前記確定サブモジュールは、音声信号の相関性によって、前記環境音声信号の中で前記内部音声信号と相関する信号部分をフィルタ処理して、前記雑音信号を得て出力するように構成され、前記音声信号の相関性は音声信号の波形の相関性を含む。
【００１６】
好ましくは、一つの調整閾値だけある場合に、前記調整モジュールは、再生ラウドネスの差分値が前記調整閾値より大きい時、再生ラウドネスを向上させ、再生ラウドネスの差分値が前記調整閾値より小さい時、再生ラウドネスを低下させるように構成され、
二つ以上の調整閾値がある場合、前記調整モジュールは、再生ラウドネスの差分値が前記調整閾値の最大値より大きい時、再生ラウドネスを向上させ、再生ラウドネスの差分値が前記調整閾値の最小値より小さい時、再生ラウドネスを低下させ、再生ラウドネスの差分値が前記調整閾値の最大値と最小値の間にある時、再生ラウドネスを調整しないように構成される。
【００１７】
好ましくは、この装置は、前記調整モジュールが再生ラウドネスを調整した後に、調整時の再生ラウドネスの差分値及び修正閾値によって前記調整閾値を更新するように構成される更新モジュールをさらに含む。
【００１８】
本発明の実施形態による有益な効果は以下のとおりである。
【００１９】
本発明の実施形態が提供した再生ラウドネス調整方法及び装置は、端末再生時に環境音声信号及び内部音声信号を取得し、環境音声信号及び内部音声信号によって再生ラウドネスの差分値を取得し、即ちユーザが感じた再生ラウドネスと端末の内部ラウドネスの間の相対的な差分値を取得し、次に該再生ラウドネスの差分値と調整閾値の間の大きさ関係によって、端末再生に対して再生ラウドネスを調整することで、従来技術における異なる環境でのユーザによる手動操作で端末再生の音量を調節する必要がある問題を解決し、端末が自身の置かれた環境状態を自動的に検出することができ、そしてその自身が置かれている環境によって再生ラウドネスを自動的に調節できるようにすることによって、ユーザの使用体験を強化した。
【図面の簡単な説明】
【００２０】
【図１】本発明の第１の実施形態に係る再生ラウドネス調整方法を示す図である。
【図２】本発明の第２の実施形態に係る再生ラウドネス調整方法を示す図である。
【図３】本発明の第３の実施形態に係る再生ラウドネス調整装置を示す図である。
【図４】本発明の第４の実施形態に係る再生ラウドネス調整装置の回路構成を示す図である。
【図５】本発明の第５の実施形態に係る再生ラウドネス調整方法を示す図である。
【発明を実施するための形態】
【００２１】
以下、図面を参照して本発明の具体的な実施形態を詳細に説明する。
【００２２】
図１は本発明の第１の実施形態に係る再生ラウドネス調整方法を示す図であり、図1から明らかなように、本実施形態において、本発明が提供した再生ラウドネス調整方法は以下のステップを含む。
【００２３】
Ｓ１０１：端末は環境音声信号及び内部音声信号を取得する。
【００２４】
本発明の実施形態における端末は、再生を行うおよび外部音声信号を受信することができる装置であり、携帯電話、パソコン、ポケットパソコン等を含むがこれらに限定されず、好ましくは、携帯電話等の携帯端末であってもよい。本発明の実施形態における環境音声信号は、端末が置かれた環境の全ての音声信号であり、発明の実施形態における、その効果に応じて雑音信号と再生エコー信号の二つの部分に分ける。再生エコー信号は、端末がマイクロフォンを利用して採集した、その自身がスピーカー等の再生装置を通じて再生したエコー信号であり、主にスピーカーから出てくる音声が直射および外部環境の反射後にマイクロフォンにより受信された音声信号を含む。雑音信号は、端末がマイクロフォンを利用して受信した全ての音声信号の中で再生エコー信号を除いた部分である。本発明の実施形態における内部音声信号は、端末がスピーカーを通じて音声信号を再生する必要がある音声信号であり、即ち電力増幅を行われない音声信号である。本発明の実施形態における再生は、端末が音楽の歌曲を再生し、端末が電話通信或いは映像通信等を操作する時、スピーカーから出てくる音声を含むがこれらに限定されない。
【００２５】
Ｓ１０２：環境音声信号及び内部音声信号によって再生ラウドネスの差分値を取得する。
【００２６】
本発明における再生ラウドネスの差分値は、主に端末内部の内部音声信号のラウドネス値と再生エコー信号のラウドネス値の差である。
【００２７】
端末の位置する外部環境に雑音がない或いは雑音を無視できる場合には、直接に環境音声信号のラウドネス値が再生エコー信号のラウドネス値とすることができる。
【００２８】
端末の位置する外部環境に雑音を無視できない場合には、純粋な再生エコー信号を取得するために、雑音信号をフィルタ処理し、さらに再生ラウドネスの差分値を計算する。これにより、この時に、環境音声信号と内部音声信号によって再生ラウドネスの差分値を取得するステップは、環境音声信号における雑音信号をフィルタ処理して、再生エコー信号を取得し、再生エコー信号のラウドネス値及び内部音声信号のラウドネス値によって再生ラウドネスの差分値を取得することを含む。
【００２９】
好ましくは、環境音声信号における雑音信号をフィルタ処理する前に、さらに環境音声信号における雑音信号を確定するステップを含む。具体的に環境音声信号における雑音信号をフィルタ処理することは、環境音声信号の中で確定した雑音信号をフィルタ処理する。
【００３０】
好ましくは、雑音信号を確定するステップは、音声信号の相関性によって、環境音声信号の中で内部音声信号と相関する信号部分をフィルタ処理して、雑音信号を得て出力することを含む。音声信号の相関性は、例えば音声信号の振幅、周波数および位相等の音声信号の波形の相関性を含む。
【００３１】
本発明における再生ラウドネスの差分値は、端末内部の内部音声信号のラウドネス値と環境音声信号の主音声信号のラウドネス値の間の差であってもよい。具体的には、環境音声信号の各音声信号のラウドネス値を取得して、ラウドネス値が最大となる音声信号を主音声信号とする。主音声信号のラウドネス値及び再生の内部信号のラウドネス値によって再生ラウドネスの差分値を取得する。
【００３２】
Ｓ１０３：端末は再生ラウドネスの差分値と少なくとも一つの調整閾値の大きさを比較し、比較結果を出力する。
【００３３】
本発明における調整閾値は、主に端末がラウドネスの調整を行う判断の条件であり、それは一つの確定した数値であってもよい。これにより、この時の比較結果はただ調整閾値より大きいことと調整閾値より小さいことの二つの種類の情況である。このような調整方式の効果が良く、それは再生ラウドネスの差分値が固定値であることを確保でき、再生ラウドネスの差分値が端末ユーザの使用感と直接に相関され、再生ラウドネスの差分値が変わらず維持される場合は、端末ユーザに聞こえる端末の再生効果が安定して変化なく、効果が最適であるに相当する。しかし、実際の応用において、端末が置かれている環境は頻繁に変化し、このような調整方式は端末がリアルタイムに再生ラウドネスの大きさを調整することが必要であり、電力が無駄になる。
【００３４】
また、その他の実施形態において、調整閾値は、二つ以上の個数の数値あるいは一つの値の範囲であってもよい。この時の比較結果は、調整閾値より大きい最大値、調整閾値より小さい最小値及び調整閾値の最大値と最小値の間の値の三つの種類の情況である。このような実施形態は一定互換性を有することができ、例えば比較結果が調整閾値の最大値と最小値の間にある時、端末の再生ラウドネスを調整しなくて、ある程度の電力の浪費を減少させることができる。
【００３５】
Ｓ１０４：端末は比較結果によって再生ラウドネスを調整する。
【００３６】
調整閾値の個数が異なる場合、異なる調整の提案を有して、現在それぞれに説明する。
【００３７】
一つの調整閾値だけある場合、比較結果によって再生ラウドネスを調整するステップは、比較結果が、再生ラウドネスの差分値が調整閾値より大きい時、再生ラウドネスを向上させ、比較結果が、再生ラウドネスの差分値が調整閾値より小さい時、再生ラウドネスを低下させることを含む。
【００３８】
二つ以上の調整閾値がある場合、比較結果によって再生ラウドネスを調整するステップは、比較結果が、再生ラウドネスの差分値が調整閾値の最大値より大きい時、再生ラウドネスを向上させ、比較結果が、再生ラウドネスの差分値が調整閾値の最小値より小さい時、再生ラウドネスを低下させ、比較結果が再生ラウドネスの差分値が調整閾値の最大値と最小値の間にある時、再生ラウドネスを調整しないことを含む。
【００３９】
期待できることは、本発明のその他の実施形態において、三つ以上の調整閾値或いは二つ以上の調整閾値の範囲を設定するやり方で、再生ラウドネスの調整値の確定を実現する。例えば、二つ以上の調整閾値の範囲を設定するやり方である場合、比較結果が、再生ラウドネスの差分値が（１，２）の間にある時、４デシベルの再生ラウドネス値を低下させ、比較結果が、再生ラウドネスの差分値が（２，３）の間にある時、２デシベルの再生ラウドネス値を低下させ、比較結果が、再生ラウドネスの差分値が（３，４）の間にある時、調整せず、比較結果が、再生ラウドネスの差分値が（４，５）の間にある時、２デシベルの再生ラウドネス値を増加させ、これによって類推されるように、重複の説明を省略する。
【００４０】
図２は本発明の第２の実施形態に係る再生ラウドネス調整方法を示す図であり、図1から明らかなように、本実施形態において、再生ラウドネス調整方法は以下のステップを含む。
【００４１】
Ｓ２０１−Ｓ２０４：端末端末は、環境音声信号及び内部音声信号を取得し、環境音声信号及び内部音声信号によって再生ラウドネスの差分値を取得する。端末は、再生ラウドネスの差分値と少なくとも一つの調整閾値の大きさを比較し、比較結果によって再生ラウドネスを調整する。この４つのステップは図１と同様であるため、重複の説明を省略する。
【００４２】
Ｓ２０５：調整時の再生ラウドネスの差分値及び修正閾値によって調整閾値を更新する。
【００４３】
このステップの目的は、端末の毎回行われた再生ラウドネスに対する調整がいずれも前回の調整の基礎上に行われるためである。このように端末が一つの環境から別の一つの環境へ移動する時に、ラウドネス調整の断層が現れない。具体的に、調整閾値の個数が異なる場合、異なる更新スキームがあり、現在それぞれに説明する。
【００４４】
一つの調整閾値だけある場合、調整時の再生ラウドネスの差分値及び修正閾値によって調整閾値を更新するステップは、具体に、調整時の再生ラウドネスの差分値と修正閾値の和または差を新調整閾値とし、或いは調整時の再生ラウドネスの差分値を直接に新しい修正閾値とする。
【００４５】
二つ以上の調整閾値がある場合、調整時の再生ラウドネスの差分値及び修正閾値によって調整閾値を更新するステップは、具体に、調整時の再生ラウドネスの差分値と修正閾値の和を新調整閾値の最大値とし、調整時の再生ラウドネスの差分値と修正閾値の差を新調整閾値の最小値とする。
【００４６】
Ｓ２０６：調整した再生ラウドネス値を表示する。
【００４７】
このステップをする目的は、端末ユーザが、調整した端末の再生ラウドネス値を了解できるようにすることで、ユーザが次回に使用する時に再生ラウドネス値が大きすぎるまたは小さすぎることが要因となるユーザの使用感が悪い問題を避けることである。
【００４８】
期待できることは、図２に示すような実施形態におけるステップＳ２０５及びＳ２０６の前後の順序を取り変えることができる。
【００４９】
図３は本発明の第３の実施形態に係る再生ラウドネス調整装置を示す図であり、図３から明らかなように、本実施形態において、本発明が提供した再生ラウドネス調整装置３０は、処理モジュール３１及び調整モジュール３２を含む。
【００５０】
処理モジュール３１は、環境音声信号及び内部音声信号を取得し、環境音声信号及び内部音声信号によって再生ラウドネスの差分値を取得するように構成される。
【００５１】
調整モジュール３２は、再生ラウドネスの差分値と少なくとも一つの調整閾値の大きさを比較し、比較結果によって再生ラウドネスを調整するように構成される。
【００５２】
好ましくは、その他の実施形態において、図３に示すような実施形態における処理モジュール３１はフィルタ処理サブモジュール及び計算サブモジュールを含む。
【００５３】
フィルタ処理サブモジュールは、環境音声信号における雑音信号をフィルタ処理して、再生エコー信号を取得するように構成される。計算サブモジュールは、再生エコー信号のラウドネス値及び内部音声信号のラウドネス値によって再生ラウドネスの差分値を取得するように構成される。
【００５４】
好ましくは、その他の実施形態において、図３に示すような実施形態における処理モジュール３１は確定サブモジュールをさらに含み、確定サブモジュールは、環境音声信号における雑音信号をフィルタ処理する前に、環境音声信号における雑音信号を確定するように構成される。フィルタ処理サブモジュールは、確定サブモジュールにより確定された環境音声信号における雑音信号をフィルタ処理するように構成される。
【００５５】
好ましくは、その他の実施形態において、上記の実施形態における確定サブモジュールは、音声信号の相関性によって、環境音声信号の中で内部音声信号と相関する信号部分をフィルタ処理して、雑音信号を得て出力するように構成される。音声信号の相関性は音声信号の波形の相関性を含む。
【００５６】
好ましくは、その他の実施形態において、一つの調整閾値だけある場合、図３に示すような実施形態における調整モジュール３２は、再生ラウドネスの差分値が調整閾値より大きい時、再生ラウドネスを向上させ、再生ラウドネスの差分値が調整閾値より小さい時、再生ラウドネスを低下させるように構成される。二つ以上の調整閾値がある場合、図３に示すような実施形態における調整モジュール３２は、再生ラウドネスの差分値が調整閾値の最大値より大きい時、再生ラウドネスを向上させ、再生ラウドネスの差分値が調整閾値の最小値より小さい時、再生ラウドネスを低下させ、再生ラウドネスの差分値が調整閾値の最大値と最小値の間にある時、再生ラウドネスを調整しないように構成される。
【００５７】
好ましくは、その他の実施形態において、図３に示すような実施形態における再生ラウドネス調整装置３０は、更新モジュールをさらに含み、更新モジュールは、調整モジュールが再生ラウドネスを調整した後に、調整時の再生ラウドネスの差分値及び修正閾値によって調整閾値を更新するように構成される。
【００５８】
好ましくは、その他の実施形態において、図３に示すような実施形態における再生ラウドネス調整装置３０は、表示モジュールをさらに含み、表示モジュールは、調整モジュールが再生ラウドネスを調整した後に、調整された再生ラウドネス値を表示するように構成される。
【００５９】
図４は本発明の第４の実施形態に係る再生ラウドネス調整装置の回路構成を示す図であり、図５は本発明の第５の実施形態に係る再生ラウドネス調整方法を示す図である。現在具体的な応用例、図４及図５を結び付けて本発明について更に説明する。
【００６０】
図４から明らかなように、本発明の一つの応用例が提供した再生ラウドネス調整装置は以下の回路素子から構成される。音声増幅器４０１、ラッチ４０２、スピーカー４０３、マイクロフォン４０４、エコー抑制器４０５、第一演算器４０６、第二演算器４０７、第一コンパレータ４０８、第二コンパレータ４０９、メモリ４１０及びディスプレイ４１１から構成され、各回路素子の間の接続関係は図４を参照する。該図４と図３に示すような再生ラウドネス調整装置の間の対応関係は、ラッチ４０２、マイクロフォン４０４、エコー抑制器４０５、第一演算器４０６及び第二演算器４０７が図３の処理モジュール３１に相当し、音声増幅器４０１、第一コンパレータ４０８及び第二コンパレータ４０９が図３の調整モジュール３２に相当する。現在図５を結び付けて本発明について更に説明し、図５から明らかなように、この応用例が提供した再生ラウドネス調整方法は以下のステップを含む。
【００６１】
Ｓ５０１：端末ユーザは音声増幅器４０１を選択して再生を行い、例えばトーン信号Ａを再生し、その再生ラウドネスをａに設置する。
【００６２】
Ｓ５０２：端末は環境１における調整閾値Ｔｈ１を確定する。
【００６３】
そのステップは具体に以下を含む。
【００６４】
ラッチ４０２はトーン信号Ａをラッチして、スピーカー４０３を通じてトーン信号Ｙを放送していく。
【００６５】
マイクロフォン４０４は環境１の環境音声信号Ｚ１を採集して、エコー抑制器４０５及び第一演算器４０６へ環境音声信号Ｚ１を転送する。ここで、環境音声信号Ｚ１は、環境１での雑音信号Ｎ１、及び環境１でのトーン信号Ａの再生エコー信号Ｒ１（Ａ）を含む。
【００６６】
エコー抑制器４０５は音声信号の波形の相関性によって環境音声信号Ｚ１におけるトーン信号Ａと相関する再生エコー信号Ｒ１（Ａ）の部分をフィルタ処理して、雑音信号Ｎ１を取得し、第一演算器４０６に雑音信号Ｎ１を転送する。
【００６７】
第一演算器４０６は受信した環境音声信号Ｚ１と雑音信号Ｎ１を減算して、再生エコー信号Ｒ１（Ａ）を取得し、第二演算器４０７に出力する。
【００６８】
第二演算器４０７はトーン信号Ａのラウドネス値ａと再生エコー信号Ｒ１（Ａ）のラウドネス値ａ１’を減算して環境１における再生ラウドネスの差分値Δ１（Δ１＝ａ−ａ１’）を取得し、メモリ４１０に転送する。
【００６９】
メモリ４１０はΔ１及び修正閾値Ｍによって調整閾値Ｔｈ１を確定して保存し、本実施形態においては、二つの閾値を設定し、即ち、Ｔｈ１（ｍｉｎ）＝Δ１−ＭおよびＴｈ１（ｍａｘ）＝Δ１＋Ｍである。
【００７０】
Ｓ５０３：端末が置かれている環境に変化が発生し、環境２における再生ラウドネスの差分値Δ２を計算し、具体的な演算方法は、以下のとおりである。
【００７１】
マイクロフォン４０４は環境２の環境音声信号Ｚ２を採集して、エコー抑制器４０５及び第一演算器４０６へ環境音声信号Ｚ２を転送する。ここで、環境音声信号Ｚ２は環境２における雑音信号Ｎ２、及び環境２でのトーン信号Ａの再生エコー信号Ｒ２（Ａ）を含む。
【００７２】
エコー抑制器４０５は音声信号の波形の相関性によって環境音声信号Ｚ２の中でトーン信号Ａと相関する再生エコー信号Ｒ２（Ａ）の部分をフィルタ処理して、雑音信号Ｎ２を取得し、第一演算器４０６に雑音信号Ｎ２を転送する。
【００７３】
第一演算器４０６は、受信した環境音声信号Ｚ２と雑音信号Ｎ２を減算して、再生エコー信号Ｒ２（Ａ）を取得し、第二演算器４０７に出力する。
【００７４】
第二演算器４０７はトーン信号Ａのラウドネス値ａと再生エコー信号Ｒ２（Ａ）のラウドネス値ａ２’を減算して環境２での再生ラウドネスの差分値Δ２（Δ２＝ａ−ａ２’）を取得し、第一コンパレータ４０８及び第二コンパレータ４０９に転送する。
【００７５】
Ｓ５０４：端末は再生ラウドネスの差分値Δ２と調整閾値Ｔｈ１の大きさを比較し、比較結果を出力する。
【００７６】
第一コンパレータ４０８及び第二コンパレータ４０９が形成する比較結果は３つを含み、具体的に、比較結果１がΔ２＜Ｔｈ１（ｍｉｎ）であり、比較結果２がＴｈ１（ｍｉｎ）≦Δ２≦Ｔｈ１（ｍａｘ）であり、比較結果３がΔ２＞Ｔｈ１（ｍａｘ）であり、かつ音声増幅器４０１に比較結果を転送する。
【００７７】
Ｓ５０５：端末は比較結果によって再生ラウドネスを調整するかどうかを判断する。
【００７８】
このステップは、具体的に、音声増幅器４０１は、受信した比較結果によってトーン信号Ａのラウドネス値ａを調整することが必要かどうかを判断する。受信した比較結果が比較結果１或いは比較結果３である場合、判断結果は調整する必要があることであり、ステップ５０６を実行する。受信した比較結果が比較結果２である場合、判断結果は調整する必要がないことであり、ステップＳ５０３に戻り、実行する。
【００７９】
Ｓ５０６：端末は再生ラウドネスを調整する。
【００８０】
このステップは、具体的に、音声増幅器４０１がトーン信号Ａのラウドネス値ａをラウドネス値ｂに調整する。
【００８１】
Ｓ５０７：端末は調整閾値を更新する。
【００８２】
このステップは、具体的に、メモリ４１０が調整閾値Ｔｈ１を調整閾値Ｔｈ２に調整し、具体的に、Ｔｈ２（ｍｉｎ）＝Δ２−Ｍであり、Ｔｈ２（ｍａｘ）＝Δ２＋Ｍである。
【００８３】
Ｓ５０８：端末は調整した再生ラウドネス値を表示する。
【００８４】
このステップは、具体的に、ディスプレイ４１１が調整したラウドネス値ｂをユーザに表示する。
【００８５】
本発明の実施形態はコンピュータ読み取り可能な記憶媒体をさらに提供する。前記記憶媒体は、１グループの命令を含み、前記命令は、本発明の実施形態に係る再生ラウドネス調整方法を実行するためのものである。
【００８６】
上記からわかるように、本発明の実施形態を実施することによって、少なくとも以下の有益な効果がある。
【００８７】
端末再生時に環境音声信号及び内部音声信号を取得し、環境音声信号及び内部音声信号によって再生ラウドネスの差分値を取得し、即ちユーザが感じた再生ラウドネスと端末の内部ラウドネスの間の相対的な差分値を取得し、次に該再生ラウドネスの差分値と調整閾値の間の大きさ関係によって、端末再生に対して再生ラウドネスを調整することで、従来技術における異なる環境でのユーザによる手動操作で端末再生の音量を調節する必要がある問題を解決し、端末が自身の置かれた環境状態を自動的に検出することができ、そしてその自身が置かれている環境によって再生ラウドネスを自動的に調節できるようにすることによって、ユーザの使用体験を強化した。
【００８８】
本分野の当業者は、本発明の実施形態が方法、システムまたはコンピュータプログラム製品として提供されることができると理解すべきである。従って、本発明は、ハードウェア実施形態、ソフトウェア実施形態、またはハードウェア実施形態およびソフトウェア実施形態を組み合わせた形態を使用することができる。しかも、本発明は、コンピュータ使用可能プログラムコードを含む１つ以上のコンピュータで使用可能な記憶媒体（磁気ディスク記憶装置と光メモリなどを含むがこれらに限られない）に実施されるコンピュータプログラム製品の形態を使用することができる。
【００８９】
本発明は、本発明の実施形態による方法、装置（システム）とコンピュータプログラム製品のフローチャートおよび／またはブロック図を参照して説明される。コンピュータプログラム命令によってフローチャートの各プロセスおよび／ブロック、およびフローチャートおよび／ブロックのプロセスおよび／またはブロックの組み合わせを実現することができると理解すべきである。これらのコンピュータプログラム命令を汎用コンピュータ、専用コンピュータ、組み込みプロセッサまたは他のプログラム可能データ処理装置のプロセッサとして１つのマシンを生成することができ、それによってコンピュータまたは他のプログラム可能データ処理装置のプロセッサで実行された命令によりフローチャートの１つのプロセスまたは複数のプロセスおよび／ブロック図における指定された機能を実現するための装置を生成する。
【００９０】
これらのコンピュータプログラム命令がコンピュータまたは他のプログラム可能データ処理装置が特定のモードで動作することをガイドすることができるコンピュータ可読メモリに記憶されることもでき、それによって、当該コンピュータ可読メモリに記憶された命令により命令装置が含まれる製造品を生成し、当該命令装置がフローチャートの１つ以上のプロセスおよび／またはブロック図の１つ以上のブロックにおける指定された機能を実現する。
【００９１】
これらのコンピュータプログラム命令がコンピュータまたは他のプログラム可能データ処理装置にロードされることができ、それによってコンピュータまたは他のプログラム可能データ処理装置で実行された命令によりフローチャートの１つ以上のプロセスおよび／またはブロック図の１つ以上のブロックにおける指定された機能を実現するためのステップを提供する。
【００９２】
以上は、本発明の最適な実施形態に過ぎず、いかなる形式でも本発明を制限せず、本発明の技術的実質に応じて上記の実施形態に対して行ったいかなる簡単な改修、同等変化または改良等も、いずれも本発明の保護範囲内に含まれるべきである。
【図１】
0006306713.tif 000002
【図２】
0006306713.tif 000003
【図３】
0006306713.tif 000004
【図４】
0006306713.tif 000005
【図５】
0006306713.tif 000006